(57)【特許請求の範囲】
【請求項１】
被取付面に取り付けるための取付金具が中央に設けられる器具本体と、
前記器具本体の前記被取付面側に配設され、複数個のアッパー側ＬＥＤ光源を有する複数のアッパーユニットと、
前記器具本体における前記アッパーユニットの下方に設けられ、複数個のロアー側ＬＥＤ光源を有する複数のロアーユニットと、を有し、
前記複数のアッパーユニットは、前記複数のロアーユニットよりも内側の位置に配設され、かつ、前記複数のアッパーユニットの配置中心が、前記器具本体の前記取付金具の中心からずれている照明器具。
【請求項２】
請求項１に記載の照明器具において、
前記アッパーユニットの配置中心が、前記取付金具の中心よりも、前記器具本体の外側にずれている照明器具。
【請求項３】
請求項２に記載の照明器具において、
前記複数のアッパーユニットのうちの一つのアッパーユニットは、他のアッパーユニットに比して、前記取付金具の中心からの距離が遠い照明器具。
【請求項４】
請求項１ないし請求項３のうちのいずれか１項に記載の照明器具において、
前記アッパーユニットが前記被取付面側に照射するように設けられている照明器具。
【請求項５】
請求項１ないし請求項４のうちのいずれか１項に記載の照明器具において、
前記ロアーユニットと前記アッパーユニットとの間の高さ位置において、前記アッパーユニットの外側に設けられている上枠の上面が、前記より明るく照明したい壁面側のアッパーユニットからの光を前記被取付面側に反射するように傾斜した照明器具。
【請求項６】
請求項１ないし請求項５のうちのいずれか１項に記載の照明器具において、
前記より明るく照明したい壁面側のアッパーユニットにおける前記アッパー側ＬＥＤ光源の数が、他のアッパーユニットにおける前記アッパー側ＬＥＤ光源の数よりも多い照明器具。
【請求項７】
請求項１ないし請求項６のうちのいずれか１項に記載の照明器具において、
前記複数のアッパーユニットが矩形状に配設された照明器具。
【発明の詳細な説明】
【技術分野】
【０００１】
本発明は、ＬＥＤ（発光ダイオード）を光源として用い、主に天井面に取り付けられて下方を照明する照明器具に関するものである。
【背景技術】
【０００２】
従来より、ＬＥＤを光源として用い、天井面に取り付けられて下方を照明する照明器具が知られている（例えば、特許文献１参照）。
図２５に示すように、特許文献１に記載の照明器具１００は、天井面１０１に取り付けられて下面に開口１０４を有するフレーム１０２の内部に、発光色が異なる複数の光源を有する第１光源部１０３が設けられており、下方へ光を照射する。第１光源部１０３の照射方向前方である開口１０４には拡散板１０７が取り付けられており、第１光源部１０３からの光を受けて下方に拡散する。
【０００３】
また、フレーム１０２の開口１０４の逆側の外周面１０５には、第１光源部１０３と異なる方向に光出射方向がなるように、発光色が異なる複数の第２光源部１０６が取付けられている。第２光源部１０６の照射方向前方であるフレーム１０２の上面には、反射板１０８が取り付けられている。
フレーム１０２内部には、第１光源部１０３および第２光源部１０６を制御する制御部（図示省略）が設けられている。制御部は、第１光源部１０３や第２光源部１０６からの光色や光量が変更されたときに、入射する光の光色や光量の変化に応じて、他の光源部からの発光強度を制御する。
【０００４】
なお、制御部には受信装置（図示省略）が接続されており、入力装置１０９からの信号を受けて，制御部に伝達する。
これにより、所定領域の光環境を略一定に保持して使用者に殆ど違和感を与えることなく、演出効果、心理効果等の所定の効果を得ることが可能となる。
【先行技術文献】
【特許文献】
【０００５】
【特許文献１】特開２０１０−２３８４０７号公報（第１図）
【発明の概要】
【発明が解決しようとする課題】
【０００６】
しかしながら、前述した特許文献１に記載の従来の照明器具１００においては、第２光源部１０６により天井面１０１に連続する壁面側を照明するように制御可能ではあるが、フレーム１０２により遮られて壁面への照射範囲が制限されるという問題があった。
また、各壁面を均等に照明するには適するが、ある一方向の壁面をより照明したい場合には制御が面倒であるという問題があった。
【０００７】
本発明は、従来の問題を解決するためになされたもので、ある一方向の壁面をより明るく照明したりより広い範囲を照明できる照明器具を提供することを目的とする。
【課題を解決するための手段】
【０００８】
本発明の照明器具は、被取付面に取り付けるための取付金具が中央に設けられる器具本体と、前記器具本体の前記被取付面側に配設され、複数個のアッパー側ＬＥＤ光源を有する複数のアッパーユニットと、前記器具本体における前記アッパーユニットの下方に設けられ、複数個のロアー側ＬＥＤ光源を有する複数のロアーユニットと、を有し、前記複数のアッパーユニットは、前記複数のロアーユニットよりも内側の位置に配設され、かつ、前記複数のアッパーユニットの配置中心が、前記器具本体の前記取付金具の中心からずれているものである。
【０００９】
また、本発明の照明器具は、前記アッパーユニットの配置中心が、前記取付金具の中心よりも、前記器具本体の外側にずれているものである。
【００１０】
また、本発明の照明器具は、前記複数のアッパーユニットのうちの一つのアッパーユニットは、他のアッパーユニットに比して、前記取付金具の中心からの距離が遠いものである。
【００１１】
また、本発明の照明器具は、前記アッパーユニットが前記被取付面側に照射するように設けられているものである。
【００１２】
また、本発明の照明器具は、前記ロアーユニットと前記アッパーユニットとの間の高さ位置において、前記アッパーユニットの外側に設けられている上枠の上面が、前記より明るく照明したい壁面側のアッパーユニットからの光を前記被取付面側に反射するように傾斜したものである。
【００１３】
また、本発明の照明器具は、前記より明るく照明したい壁面側のアッパーユニットにおける前記アッパー側ＬＥＤ光源の数が、他のアッパーユニットにおける前記アッパー側ＬＥＤ光源の数よりも多いものである。
【００１４】
さらに、本発明の照明器具は、前記複数のアッパーユニットが矩形状に配設されたものである。
【発明の効果】
【００１５】
本発明は、アッパーユニットの配置中心を器具本体の中心から、より明るく照明したい壁面側へずらすことにより、アッパーユニットをより明るく照明したい壁面に近付けることができる。これにより、所望の壁面をより明るく照明したり、あるいはより広い範囲を照明することができるという効果を有する照明器具を提供できる。
【図面の簡単な説明】
【００１６】
【図１】本発明に係る第１実施形態の照明器具を下方から見た全体斜視図
【図２】本発明に係る第１実施形態の照明器具を下方から見た分解斜視図
【図３】本発明に係る第１実施形態の照明器具の中心を通る断面図
【図４】本発明に係る第１実施形態の器具本体の概略断面図
【図５】ロアーユニットの分解斜視図
【図６】レンズカバーを介して照射されるロアーユニットの光の方向を示す説明図
【図７】器具本体と反射板の分解斜視図
【図８】（Ａ）は反射板を下方から見た底面図であり、（Ｂ）は（Ａ）中Ｂ方向から見た側面図であり、（Ｃ）は（Ａ）中Ｃ方向から見た側面図
【図９】図８（Ａ）中ＩＸ−ＩＸ位置の断面形状を示す模式拡大図
【図１０】図８（Ａ）中Ｘ−Ｘ位置の断面形状を示す模式拡大図
【図１１】照明器具を上方から見た平面図
【図１２】アッパーユニットの分解斜視図
【図１３】アッパーユニットの光の照射方向を示す説明図
【図１４】器具本体、反射部材および上枠の取付部を示す断面図
【図１５】（Ａ）は上枠の上面が天井面に対して平行な場合を示す断面図であり、（Ｂ）は角度を有する場合を示す断面図
【図１６】（Ａ）はパネルを下方から見た底面図であり、（Ｂ）ないし（Ｄ）は孔の例を示す拡大図
【図１７】（Ａ）はパネルカバーの別の例でありパネルカバーがパネルの幅に比して小さい場合を示すパネルの底面図、（Ｂ）はパネルの４辺に沿ってパネルカバーを設ける場合を示す底面図、（Ｃ）は円形のパネルにパネルカバーを設ける場合の底面図
【図１８】（Ａ）は上パネルの側面図であり、（Ｂ）は上パネルの平面図
【図１９】所望の壁面をより明るく照明する配光の説明図
【図２０】光の照射状態を示す説明図
【図２１】本発明に係る第２実施形態の照明器具を下方から見た分解斜視図
【図２２】本発明に係る第２実施形態の照明器具で用いられる反射板およびロアーユニットの配置を示す底面図
【図２３】ロアーユニットの変形例を示す斜視図
【図２４】照明器具を正方形状とした変形例を示す平面図
【図２５】従来の照明器具の断面図
【発明を実施するための形態】
【００１７】
（第１実施形態）
以下、本発明に係る第１実施形態の照明器具について、図面を用いて説明する。
なお、以下の説明においては、照明器具を被取付面に取り付けて下方を照明する場合について説明する。従って、特に示す場合を除き、上（上方、上側等）は天井面側を意味し、下（下方，下側等）は床面側を意味する。
【００１８】
図１に示すように、本発明に係る第１実施形態の照明器具１０は、被取付面である天井面１１等に取り付けられて主に下方を照明するのに適する。
図２および図３に示すように、照明器具１０は、天井面１１に取り付けられている引っ掛けシーリング１２に取り付けるための取付金具２１を中央に有する矩形状の板状の器具本体２０を有する。
器具本体２０の上側（すなわち、天井面１１側）には、アッパーユニット３０、上枠３２および上パネル３１が設けられている。また、器具本体２０の下側（すなわち、照明方向側）には、ＬＥＤユニットであるロアーユニット４０、反射部材である反射板６０が設けられており、反射板６０の下方には、受けた光を拡散する透光性のパネル５０が取り付けられる。
【００１９】
図４に示すように、器具本体２０は、一枚物の板金から形成されており、中央に取付状態で天井面１１と平行な上段２０１を有し、上段２０１の外側に下段２０２を有する。また、上段２０１と下段２０２との間の上縦壁２０３と、下段２０２から下方へ向かう下縦壁２０４を有する。
なお、ここで一枚物の板金とは、１枚の金属板から折り曲げ加工により形成するものに限らず、溶接、接続部材（ねじ等）によって連結されているものも含まれる。
【００２０】
天井面１１側の上段２０１は平面視で例えば矩形状をしており、上縦壁２０３は四辺から下方へ設けられる。同様に、下縦壁２０４は、下段２０２の四辺から下方へ設けられる。
対向する一対の上縦壁２０３の外面には、光源としてのアッパー側ＬＥＤ光源３３を有するアッパーユニット３０が、外向きに照射するように取り付けられる。ここでは、各上縦壁２０３に、例えば１個のアッパーユニット３０がそれぞれ設けられている（図１１参照）が、数は限定するものではない。
器具本体２０におけるアッパー側ＬＥＤ光源３３の照射方向前方である下段２０２の上面は、反射率の高い塗装、例えば白塗装もしくは鏡面仕上げを施すのが望ましい。
【００２１】
また、対向する一対の下縦壁２０４の内面には、光源としてのロアー側ＬＥＤ光源４２を有するロアーユニット４０が、器具本体２０の内側向きに照射するように取り付けられる。ここでは、各下縦壁２０４に、例えば２個のロアーユニット４０がそれぞれ設けられている（図１１参照）が、数は限定するものではない。
従って、アッパー側ＬＥＤ光源３３およびロアー側ＬＥＤ光源４２の全ての光源が、１枚の板金からなる器具本体２０に取り付けられることになる。
これにより、アッパーユニット３０に対する放熱領域Ｒ１およびロアーユニット４０に対する放熱領域Ｒ２が形成される。
なお、器具本体２０を、熱伝導率が０．１Ｗ／ｍＫ以上の放熱性を有するポリカやアクリルで形成することも可能である。
【００２２】
図７に示すように、器具本体２０の中央部下面には、器具本体２０を天井面１１の引っ掛けシーリング１２に取り付けるための取付金具２１が貫通して設けられている。この取付金具２１の周囲には、全周に亘って取付金具２１を囲う金具ケース２４が、器具本体２０の下面から下方へ突設されている。金具ケース２４には、蓋６１が着脱可能に取り付けられる。また、器具本体２０の下面には、照明器具１０の点灯を制御する制御部６２が設けられる。
なお、蓋６１の下面６１１および制御部６２の下面６２１は、後述するように、反射板６０の一部を構成する。
また、器具本体２０には、ロアーユニット４０が設けられていない一対の対向する辺に沿って、各々一対の取付用開口部２５が設けられている。
【００２３】
図５に示すように、ロアーユニット４０は、全体細長い長方形状をしており、最下層に長方形の本体４３を有する。本体４３は、放熱性を向上させるため、アクリルにより形成されており、ロアーユニット４０を器具本体２０に取り付けるための一対のブラケット４３１が設けられている。
これにより、ロアー側ＬＥＤ光源４２が発した熱を効率的に放熱できるので、ロアーユニット４０の寿命を大幅に延ばすことができる。
【００２４】
本体４３の上には、複数のロアー側ＬＥＤ光源４２を実装したＬＥＤ基板４４が取り付けられる。例えば、ロアー側ＬＥＤ光源４２は、ＬＥＤ基板４４上に１列の直線上に配列されている。
【００２５】
本体４３の上には、ロアー側ＬＥＤ光源４２およびレンズとしてＬＥＤ基板４４を覆う難燃性の樹脂で形成された透光性のレンズカバー４５が配設される。
これにより、ユーザ等が直接ロアー側ＬＥＤ光源４２に触ることがないようにするとともに、ロアー側ＬＥＤ光源４２が発した光の集光を可能にしている。
【００２６】
また、図６に示すように、ロアー側ＬＥＤ光源４２から発せられる光は、レンズカバー４５を通過することにより、天井面１１に対して平行から角度θ１だけ被取付面側に照射される。このときの集光角度は２・θ２となる。例えば、角度θ１を５度、角度θ２を１０度に設定することができる。
なお、レンズカバー４５によってロアーユニット４０による照射方向を角度θ１だけ被取付面側に設定する代わりに、あらかじめロアー側ＬＥＤ光源４２の向きを角度θ１だけ被取付面側に設定することもできる。
【００２７】
図３および図７に示すように、器具本体２０の下方（図３において下方）には、器具本体２０より一回り小さい全体矩形状の反射板６０が、取り付けられている（図２参照）。
すなわち、反射板６０は、器具本体２０の外縁部に取り付けられているロアーユニット４０の内側に取り付けられており、下面は、光を反射するように、白色塗装あるいは鏡面仕上げが施されている。ロアーユニット４０は、反射板６０の下面に向かって光を照射する。
なお、説明の都合上、図８ないし図１０においては、使用状態における下側を上にして図示する。
【００２８】
図７および図８に示すように、反射板６０は全体矩形状をしており、下方（図８ないし図１０において上方）に尖った略四角錐形状を呈している。反射板６０の４辺からなる外周辺６０１は一平面状にあり、ロアーユニット４０が設けられていない一対の対向する辺に沿って、各々一対の取付用開口部６６が設けられている。
外周辺６０１の内側は、取付金具２１を避けた傾斜面として、対向する外周辺６０１の中心点６０２同士を結んだ線により分割される４個の領域６３１（図１１中ハッチングで表示）、６３２，６３３，６３４を有する。
なお、以下の説明において各領域を総称する場合には、「領域６３」で示す。
【００２９】
各領域６３は、平面視で矩形状をしており、直交する２本の外周辺６０１、６０１と、隣接する領域６３との境界である２本の交線Ｌ１、Ｌ１とを有する。各領域６３は、反射板６０の頂点Ｐ１に向かって傾斜しており、頂点Ｐ１が下方へ最も高くなっている。
各領域６３は、２つの中心点６０２、６０２を結んだ区画線Ｌ２により、角点Ｐ２側と頂点Ｐ１側に区画される。さらに、頂点Ｐ１側は、頂点Ｐ１の近傍で、略区画線Ｌ２と平行な区画線Ｌ３と、交線Ｌ１の近傍において、頂点Ｐ１側から外周辺６０１に向かって拡幅する区画線Ｌ４とを有する。
【００３０】
図９に基づいて、各領域６３において、頂点Ｐ１と角点Ｐ２とを結ぶ線（図８（Ａ）中二点鎖線で表示）に沿った断面の構成を説明する。なお、図９においては、鉛直方向の寸法を誇張して示してある。
角点Ｐ２と、区画線Ｌ２との交点Ｐ３との間は、上方（図において下方）に凸の半径Ｒ１の円（以後、「円Ｒ１」で表示）で構成される。また、交点Ｐ３と、区画線Ｌ３との交点Ｐ４との間は、上方（図において下方）に凸の半径Ｒ２の円（「円Ｒ２」で表示）で構成される。交点Ｐ３において、円Ｒ１の接線と円Ｒ２の接線は一致しており、円Ｒ１と円Ｒ２との間はなめらかに接続されていて明確な境界は無い。
なお、両円Ｒ１、Ｒ２の半径は、Ｒ１＞Ｒ２となっている。
【００３１】
交点Ｐ４と頂点Ｐ１との間は、下方（図において上方）に凸の半径Ｒ３の円（以後、「円Ｒ３」で表示）で構成される。交点Ｐ４において、円Ｒ２の接線と円Ｒ３の接線は一致しており、両円Ｒ２、Ｒ３はなめらかに接続されていて明確な境界は無い。また、頂点Ｐ１において、円Ｒ３の接線は，水平になっている。
【００３２】
次に、図１０に基づいて，隣接する領域６３との関係について説明する。なお、図１０においては、鉛直方向の寸法を誇張して示してある。
図１０に示すように、隣接する領域６３の交線Ｌ１を挟んだ区画線Ｌ４，Ｌ４の間は、下方（図において上方）に凸の半径Ｒ４の円（「円Ｒ４」で表示）で構成される。円Ｒ４の接線は、交線Ｌ１上において水平となる。
なお、図８（Ａ）に示すように、区画線Ｌ４、Ｌ４は、頂点Ｐ１に向かうに従って幅が狭まり、区画線Ｌ３において交わって消滅する。このため、円Ｒ４も、区画線Ｌ３で消滅する。
【００３３】
円Ｒ４の外側は、前述した上方に凸の円Ｒ２が連続する。区画線Ｌ４上における円Ｒ４の接線と、円Ｒ２の接線は一致しており、円Ｒ４と円Ｒ２との間はなめらかに接続されていて明確な境界は無い。なお、円Ｒ１および円Ｒ２は、図９で示した断面における半径が各々Ｒ１およびＲ２であり、図１０に示す断面においては半径が異なるので、図中円Ｒ１の半径をＲ１Ｂで示し、円Ｒ２の半径をＲ２Ｂで示す。
【００３４】
図７および図８（Ａ）に示すように、反射板６０の中央部には器具本体２０に設けられている金具ケース２４に対応して取付金具用開口部６４が設けられており、取付金具用開口部６４には、蓋６１が着脱可能に取り付けられる。
これにより、取付金具２１の引っ掛けシーリング１２への着脱を可能にしている。
なお、蓋６１の下面６１１は前述した形状に形成されるとともに、反射板６０と同様に光を反射するようになっている。
【００３５】
また、反射板６０の所定位置には、器具本体２０に取り付けられる制御部６２用の開口部６５が設けられており、制御部６２の下面６２１が開口部６５から反射板６０の表面に露出している。これにより、反射板６０の薄型化を図っている。ここでは、例えば交線Ｌ１および一対の区画線Ｌ４、Ｌ４に跨がって配設されており、制御部６２の下面６２１は、前述した形状に形成されるとともに、反射板６０と同様に光を反射するようになっている。
従って、蓋６１および制御部６２を取り付けた状態で、反射板６０は前述した形状に形成される。
【００３６】
従って、ロアーユニット４０から発せられた光は、反射板６０に向かって照射されて下方へ反射される。このとき、反射板６０の形状が、所定の半径を有する円弧面の組合せで形成され、各円の境界における接線が共通になるように構成されているので、均一に反射して、パネル５０に入射する。
これにより、図７に示すように、所定間隔で２個のロアーユニット４０が配設されている場合でも、両ロアーユニット４０の間に対応する領域にも光を照射することができるので、暗部の発生を防止できる。
【００３７】
図１４に示すように、器具本体２０の上側には上枠３２が配設され、器具本体２０の下側には反射板６０が配設されている。上枠３２には係止突起３２２が下方へ突設されており、器具本体２０の上側から、器具本体２０の取付用開口部２５および反射板６０の取付用開口部６６を貫通して、反射板６０の下面を係止している。
これにより、ねじ２３で反射板６０と器具本体２０とを接続するとともに、反射板６０および器具本体２０および上枠３２を一体的に接続している。
【００３８】
図１１に示すように、アッパーユニット３０は、器具本体２０に設けられている取付金具２１の周囲を囲うように設けられている器具本体２０の上縦壁２０３の外面に取り付けられ、外向きに光を照射する。
また、アッパーユニット３０は、平面視において矩形状に配設されており、器具本体２０におけるロアーユニット４０（図１１中破線で表示）の内側に配設されている。
【００３９】
なお、アッパーユニット３０の平面配置は、取付金具２１に近い位置すなわち器具本体２０の中央側でもよく、あるいは、器具本体２０の外縁側でもよい。
取付金具２１に近い場合には、天井面１１への間接光をより広い面積で照射可能であり、照明器具１０が浮遊した感じになって薄さ感を出すことができる。
また、器具本体２０の外縁側に設けた場合には、アッパーユニット３０とロアーユニット４０が近くなるので、電力供給用の配線を短くしたり、長期使用時における照明器具１０上面に溜まるほこり等を少なくすることができる。
【００４０】
図１２に示すように、アッパーユニット３０は、全体細長い長方形状をしており、最下層に長方形の本体３４を有する。本体３４は、放熱性を向上させるため、アクリルにより形成されており、アッパーユニット３０を器具本体２０に取り付けるための一対のブラケット３４１が設けられている。
これにより、アッパー側ＬＥＤ光源３３が発した熱を効率的に放熱できるので、アッパーユニット３０の寿命を大幅に延ばすことができる。
【００４１】
本体３４の上には、複数のアッパー側ＬＥＤ光源３３を実装したＬＥＤ基板３５が取り付けられる。例えば、アッパー側ＬＥＤ光源３３は、ＬＥＤ基板３５上に１列の直線上に配列されている。
【００４２】
本体３４の上には、アッパー側ＬＥＤ光源３３およびＬＥＤ基板３５を覆う難燃性の樹脂で形成された透光性のレンズカバー３６が配設される。
これにより、ユーザ等が直接アッパー側ＬＥＤ光源３３に触ることがないようにするとともに、アッパー側ＬＥＤ光源３３が発した光の集光を可能にしている。
【００４３】
図１３に示すように、アッパー側ＬＥＤ光源３３から発せられる光は、レンズカバー３６を通過することにより、水平よりも天井面１１側（被取付面側）に照射されるのが望ましい。あるいは、レンズカバー３６によってアッパーユニット３０による照射方向を被取付面側に設定する代わりに、あらかじめアッパー側ＬＥＤ光源３３の向きを被取付面側に設定することもできる。
【００４４】
なお、アッパーユニット３０の高さは、器具本体２０に取り付けられている取付金具２１の高さより大きくするのが望ましい。
また、ロアーユニット４０の光量を、アッパーユニット３０の光量以上とするのが望ましい。
【００４５】
図１４に示すように、器具本体２０の上方（天井面１１側）には、上枠３２が配設されており、上枠３２の下面には係止突起３２２が下方に向けて突設されている。係止突起３２２は、器具本体２０の開口２５および反射板６０の取付用開口部６６を貫通して、上枠３２と、器具本体２０と、反射板６０とを一体的に取り付けている。
一方、反射板６０は、ねじ２３により器具本体２０に取り付けられており（図２参照）、薄板からなる反射板６０を薄板の器具本体２０に取り付けるため、ねじ２３の先端が突出する場合がある。
このため、上枠３２の高さＨ１を、器具本体２０の上面から突出するねじ２３の突出量Ｈ２よりも大きく設定して、ねじ２３の先端が上枠３２から突出しないようにする。
【００４６】
図３および図１１に示すように、上枠３２は、ロアーユニット４０と、ロアーユニット４０よりも平面視で器具本体２０の中心側に配設したアッパーユニット３０との上下方向における間に位置する。
図１５（Ａ）には、上枠３２の上面３２１が天井面１１に対して平行な場合が示されている。上面３２１は、光不透過であり，白色塗装あるいは鏡面仕上げを施すのが望ましい。
この場合は、上面３２１で反射した光が、照明器具１０が取り付けられている近くの天井面１１側へ照射されるので、天井面１１や壁面Ｗ，Ｗ１（図１９参照）への照射範囲を比較的狭くしたい場合に適する。
【００４７】
一方、図１５（Ｂ）には、上枠３２の上面３２２が天井面１１に対して角度を有する場合が示されている。上面３２２は、光不透過であり，白色塗装あるいは鏡面仕上げを施すのが望ましい。
この場合は、上面３２２の傾斜角度を調整することにより、上面３２２で反射した光が遠くまで達することができる。このため、後述するように、部屋Ｒの一壁面Ｗ１をより明るく照明したい場合や、天井面１１や壁面Ｗ１（図１９参照）への照射範囲を比較的広くしたい場合に適する。
なお、上枠３２の上面を、天井面１１に対して平行な面と角度を有する面とを組み合わせて形成することも可能である。
【００４８】
図２に示すように、器具本体２０の上側には、上パネル３１が設けられている。
図１８に示すように、上パネル３１は矩形額縁状を呈しており、中央部には、中央開口３１１を有する。中央開口３１１の中心Ｐ０は、取付金具２１の中心と一致している。中心Ｐ０から外周面までの距離は、３辺については等距離ＬＡであり、より明るくしたい壁面Ｗ１（以後、「壁面Ｗ１」という。）側の１辺については距離ＬＢとなっており、距離ＬＢの方が距離ＬＡよりも大きくなっている。
すなわち、上パネル３１は、壁面Ｗ１側（図１８において右側）に長い長方形状を呈しており、壁面Ｗ１側のアッパーユニット３０Ａは壁面Ｗ１側へずれている。
【００４９】
このため、アッパーユニット３０の配置中心は、中央開口３１１の中心Ｐ０（すなわち、取付金具２１の中心）とは異なり、中心Ｐ０よりも、壁面Ｗ１側へずれる。
すなわち、壁面Ｗ１側のアッパーユニット３０Ａは、他のアッパーユニット３０に比して、中心Ｐ０からの距離が遠くなる。
【００５０】
図１９に示すように、部屋Ｒの中心ＲＣに設けられている引っ掛けシーリング１２に照明器具１０を取り付けると、壁Ｗ１側のアッパーユニット３０Ａと壁Ｗ１との間の距離ＬＴ１は、他のアッパーユニット３０と壁Ｗとの間の距離ＬＴ２よりも小さい。
すなわち、壁Ｗ１側のアッパーユニット３０Ａは、壁Ｗ１に近く配設されることになる。
【００５１】
なお、壁面Ｗ１側のアッパーユニット３０Ａにおけるアッパー側ＬＥＤ光源３３の数が、他のアッパーユニット３０におけるアッパー側ＬＥＤ光源３３の数よりも多く設けるのが望ましい（図１２参照）。
また、照明器具１０を天井面１１の引っ掛けシーリング１２に取り付ける際には、複数のアッパーユニット３０，３０Ａが、壁面Ｗ，Ｗ１と略平行になるように取り付けるのが望ましい。
【００５２】
図２および図３に示したように、ロアーユニット４０の下方には、パネル５０が着脱可能に取り付けられる。パネル５０は、照射された光を拡散するものであり、複数箇所に、光透過率が低いパネルカバー５１を設けられている。
図１６に示すように、パネルカバー５１は、パネル５０において器具本体２０の中心に対して対称な端部付近の対向する２辺に沿って設けられている。また、パネルカバー５１は、ロアーユニット４０が設けられている位置（図１６（Ａ）において破線で表示）に対応して設けられている。
【００５３】
また、パネルカバー５１は、少なくとも第１の孔５２を有し、第１の孔５２の内側には、明るさセンサ、人感センサ、熱センサ、信号送信装置からの信号を受信するための受信センサのうちの少なくとも一つが配設されている。
さらに、パネルカバー５１は、少なくとも第２の孔５３を有し、第２の孔５３の内側には、照明器具１０の動作状態を示すための信号を発する発信手段が配設されている。
第１の孔５２および第２の孔５３が設けられているパネルカバー５１は、壁面Ｗ１側のアッパーユニット３０Ａが設けられている側に配設するのが望ましい。
【００５４】
第１の孔５２および第２の孔５３は、複数個のロアーユニット４０が長手方向に直線状に並んで設けられている場合には、ロアーユニット４０の間に設けるのが望ましい（図１６（Ａ）参照）。
例えば、２個のロアーユニット４０が長手方向に並んで設けられている場合には、図１６（Ａ）に示すように、第１の孔５２および第２の孔５３をパネルカバー５１の略中央に設けることができる。
なお、孔５２，５３は、図１６（Ｂ）に示すように、２個に限るものではない。図１６（Ｃ）に示すように、３個の孔５２，５３，５４を設けたり、図１６（Ｄ）に示すように、４個の孔５２，５３，５４、５５を設けることもできる。
また、孔５２，５３，５４、５５の形状も、丸孔に限るものではない。
さらに、孔５２，５３，５４、５５を設ける場所は、１個のパネルカバー５１に限らず、複数個のパネルカバー５１に設けることもできる。
【００５５】
図１７（Ａ）ないし（Ｃ）には、パネルカバー５１の別の例が示されている。
図１７（Ａ）では、パネルカバー５１１の長さをパネル５０の幅に比して小さくして、光の不透過部分を狭くした場合を示す。
図１７（Ｂ）では、パネルカバー５１２を、パネル５０の４辺に沿って設けた場合を示す。
さらに、図１７（Ｃ）では、円形のパネル５０Ｂに２個のパネルカバー５１３を対称な位置に設けた場合を示す。パネルカバー５１３は、パネル５０Ｂの形状に対応して、部分円弧状となっている。
【００５６】
図２０に示すように、照明器具１０のロアーユニット４０から、照明器具１０の内部に向かって発せられた光ＢＭ１は、反射板６０で下方に反射してパネル５０に入射して拡散する。これにより、パネル５０全体が光源となって下方を照明する。
一方、照明器具１０のアッパーユニット３０から照明器具１０の外側へ発せられた光ＢＭ２は、一部は天井面１１と平行に照射されて，壁面Ｗ（図１９参照）を照明する。
このとき、壁面Ｗ１側のアッパーユニット３０Ａは壁面Ｗ１側に近付くように配設されているので、光ＢＭ３は壁面Ｗ１をより明るく照明するとともに、上枠３２により遮蔽される範囲が減るので、より広い範囲を照明する。また、ＢＭ３の一部は、上方へ照射されて天井面１１に当たり、下方へ反射して壁面Ｗ１を照明する。さらに、一部は下方へ照射されて照明器具１０の上枠３２に当たって上方へ反射し，天井面１１を照明する。あるいは、さらに天井面１１で反射して壁面Ｗ１を照明する。
【００５７】
以上、説明した本発明に係る実施形態の照明器具１０によれば、天井面１１側に設けられた複数のアッパーユニット３０を、アッパーユニット３０の下方に積層されて設けられたロアーユニット４０の内側に配設した。また、アッパーユニット３０の配置中心を器具本体２０に設けられている取付金具２１の中心からずれるように配設した。
このため、アッパーユニット３０の配置中心を、取付金具２１の中心に対してより明るく照明したい壁面Ｗ１側へずらすことにより、所望の壁面Ｗ１をより明るく照明したり、あるいはより広い範囲を照明することができる。
より明るく照明したい壁面Ｗ１あるいはより広い範囲を照明したい壁面Ｗ１としては、下方にテレビが置かれた壁面Ｗ１を例示できる。
【００５８】
また、アッパーユニット３０の配置中心を、取付金具２１の中心よりもより明るく照明したい壁面Ｗ１側へずらしたので、所望の壁面Ｗ１をより明るく照明したり、より広い範囲を照明することができる。
【００５９】
また、より明るく照明したい壁面Ｗ１側のアッパーユニット３０Ａは、他のアッパーユニット３０に比して、取付金具２１の中心からの距離が遠いので、アッパーユニット３０Ａをより明るく照明したい壁面Ｗ１に近付けることができる。
【００６０】
また、より明るく照明したい壁面Ｗ１側のアッパーユニット３０Ａを被取付面側に照射するように設けたので、より明るく照明したい壁面Ｗ１の床面に近い部分までアッパーユニット３０Ａにより照明することができる。
【００６１】
また、ロアーユニット３０とアッパーユニット４０との間の高さ位置において、アッパーユニット３０の外側に設けられている上枠３２の上面３２１が、壁面Ｗ１側のアッパーユニット３０Ａからの光を天井面１１側に反射するように傾斜させた。
このため、アッパーユニット３０Ａから照射された光のうち下方へ向かった光は、上枠３２の上面３２１で反射して天井面１１側へ反射し、さらに天井面１１で反射して壁面Ｗ１に照射されるので、壁面Ｗ１をより明るく照明できる。
【００６２】
また、より明るく照明したい壁面Ｗ１側のアッパーユニット３０Ａに取り付けられているアッパー側ＬＥＤ光源３３の数を、他のアッパーユニット３０におけるアッパー側ＬＥＤ光源３３の数よりも多くしたので、光量が増し，所望の壁面をより明るく照明できる。
また、光量をアッパー側ＬＥＤ光源３３の数で調整したので、アッパー側ＬＥＤ光源３３に流す電流を一定とすることができ、駆動回路である制御部６２により容易に制御できる。
【００６３】
さらに、複数のアッパーユニット３０が矩形状に配設されているので、各アッパーユニット３０を壁面Ｗに対して略平行に配設することができる。
これにより、照射光を効率よく利用できる。また、壁面Ｗへの照射範囲を照明器具１０の中心に対して左右対称にできるので、バランスのよい配光を得ることができる。
【００６４】
また、本発明に係る実施形態の照明器具１０によれば、下方を照明するロアーユニット４０から発せられる光がパネル５０に照射され，パネル５０が均一に発光して主光源となる。
このため、ロアー側ＬＥＤ光源４２の粒感を無くすとともに複数のロアー側ＬＥＤ光源４２が放つ光によって生じる多重影（マルチシャドー）を防止できる。また、パネル５０において暗くなる場所が発生するのを防止できる。
【００６５】
また、ロアーユニット４０を器具本体２０の外郭部に設けて、内側に光を照射することにより、照明器具１０内でロアーユニット４０から最も遠い部分は器具中心部となる。従って、ロアーユニット４０が器具中心部に向かって光を照射するので、パネル５０の中心部が明るく発光して暗部を無くし、均一となるように光を照射できる。
【００６６】
また、ロアーユニット４０が発した光を反射する反射板６０は、天井面１１に取り付けられている引っ掛けシーリング１２に取付可能な取付金具２１を避けた傾斜面である領域６３を有する。このため、取付金具２１部分が暗くなるのを回避して、パネル５０全面を均一に発光できる。
なお、取付金具２１に対応する位置には蓋６１を設け、蓋６１の下面に所定形状の傾斜面を設けて反射面とすることにより、取付金具２１の影響なく、所望の反射光を得ることができる。
【００６７】
また、ロアーユニット４０のロアー側ＬＥＤ光源４２を器具本体２０の外郭部に設けて、照明器具１０の中央側に向かって光を照射するので、パネル５０の中心部が明るく発光して、均一となるように光を照射できる。
【００６８】
また、ロアー側ＬＥＤ光源４２からの光は、ロアーユニット４０よりも天井面１１側にある反射板６０へも照射されるので、ロアー側ＬＥＤ光源４２の光を余すことなくパネル５０へ照射することができる。これにより、パネル５０が無駄なく，均一に発光することができ、部屋の明るさ感や快適感をユーザに与えることができる。
【００６９】
また、ロアーユニット４０に集光用のレンズカバー４５を設けたので、器具中心付近への照射をより強くすることができる。このため、ロアー側ＬＥＤ光源４２と中心付近との間の距離が長くても，十分な光量を照射でき、パネル５０全体を均一に発光させることができる。
【００７０】
さらに、ロアーユニット４０の下方に、受けた光を拡散するパネル５０を設けたので、パネル５０はロアーユニット４０のロアー側ＬＥＤ光源４２が発した光を受けて均一に発光する。
【００７１】
また、本発明に係る実施形態の照明器具１０によれば、アッパー側ＬＥＤ光源３３およびロアー側ＬＥＤ光源４２の全ての光源が一つの器具本体２０に取り付けられているので、部品点数が少なく，組立性に優れるので、コストを安くして容易に製造できる。
【００７２】
また、器具本体２０が、一枚物の板金から形成されているので、コンパクト化を図ることができるとともに容易に製造できる。また、縦壁２０３，２０４となる部分を設けることにより、容易に剛性を高めることができる。
【００７３】
また、全ての光源は、少なくとも一部が板金製の器具本体２０に固定されているので、光源が発する熱を有効に放熱できる。また、アッパーユニット３０を器具本体２０に外向きに取り付け、ロアーユニット４０を器具本体２０に内向きに取り付けることにより、一枚の板金である器具本体２０の表裏に取り付けることになり、表裏で有効に放熱できる。
【００７４】
さらに、器具本体２０の表面が、白若しくは鏡面等の反射率の高い塗装を施されているので、例えば外向きに取り付けられているアッパーユニット３０の光を天井面１１側へ反射することができる。また、器具本体２０の放熱性能を上げることができる。
【００７５】
また、本発明に係る実施形態の照明器具１０によれば、アッパーユニット３０が器具本体２０上面における取付金具２１の周囲に配設されたので、取付金具２１および引っ掛けシーリング１２をアッパーユニット３０により隠すことができる。
また、アッパーユニット３０の照射方向を外側へ向けることにより、天井面１１や天井面側の壁面Ｗを明るくすることができ、部屋全体の明るさ感を増すことができる。
【００７６】
また、アッパーユニット３０の高さが取付金具２１の高さより大きいので、取付金具２１をアッパーユニット３０により確実に隠すことができる。
【００７７】
また、アッパーユニット３０が、器具本体２０におけるロアーユニット４０の内側に配設されたので、アッパーユニット３０は直接見えない。このため、アッパーユニット３０からの光は間接照明となり、部屋全体に光の広がりを与えることができるので、部屋全体の明るさ感を増すことができる。
【００７８】
また、アッパーユニット３０が発する光は、水平方向よりも天井面１１側に照射されるので、天井面１１や壁面Ｗへ光を照射して明るくすることができ、部屋全体の明るさ感を増すことができる。
【００７９】
さらに、ロアーユニット４０の光量が、アッパーユニット３０の光量以上であるので、部屋は主にロアーユニット４０により照明され、アッパーユニット３０は間接光として作用して、部屋全体の明るさ感を増す。
【００８０】
また、本発明に係る実施形態の照明器具１０によれば、器具本体２０の下側に取り付けられているロアーユニット４０の光を、反射板６０が下方へ反射して下方を照明する。反射板６０を器具本体２０に取り付けているねじ２３は、器具本体２０の上面から突出する場合があるが、器具本体２０の上側に取り付けられる上枠３２の高さＨ１がねじ２３の突出量Ｈ２よりも大きいので、ねじ２３は上枠３２の高さ内に収容される。
このため、ユーザ等の手がねじ２３の先端に触れて傷つくのを防止できる。
【００８１】
また、上枠３２の上側に設けられたアッパーユニット３０と、上枠３２の下側に設けられたロアーユニット４０との間に位置する上枠３２の上面３２１が光不透過であるので、光の境目を作り出すことができる。これにより、意図しない光を無くすことができ、目的とする配光を実現できる。
【００８２】
また、上枠３２の上側に設けられたアッパーユニット３０と、上枠３２の下側に設けられたロアーユニット４０との間に位置する上枠３２の上面３２１を、白色塗装または鏡面仕上げ等の反射率が高いものとした。このため、アッパーユニット３０からの光を天井面１１側に回すことができる。
【００８３】
また、上枠３２の上面３２１が天井面１１と平行な場合には、アッパーユニット３０からの光を天井面１１側へ反射させることができる。また、上枠３２の上面３２１が天井面１１に対して角度がある場合には、アッパーユニット３０の光を部屋の広範囲に広げることができる。
【００８４】
さらに、器具本体２０および上枠３２が互いに係止突起３２２を介して係合されているため、上枠３２が器具本体２０の外側に配置され、これにより良好な外観性が得られる。
【００８５】
また、本発明に係る実施形態の照明器具１０によれば、パネル５０の複数箇所に光透過率が低いパネルカバー５１を設け、パネルカバー５１における床面と反対側に床面照明用のロアーユニット４０を配設した。このため、パネル５０にロアーユニット４０が映って影になるのを防止でき、外観を向上できる。
また、ロアーユニット４０の照射方向をパネルカバー５１に向けないようにすることにより、パネル５０がロアーユニット４０の照射方向前方に位置しないため、パネル５０にロアーユニット４０の粒感が生じたり、ユーザがパネル５０を直視した際のグレアを防止できる。
また、パネルカバー５１が、ロアーユニット４０によって発せられる光を遮らないので、光の損失を防止できる。
さらに、パネルカバー５１を飾りやアクセントとして設け、意匠性を向上できる。
【００８６】
また、パネルカバー５１を、パネル５０において器具中心に対して対称な器具端部付近に対応する位置に設けたので、パネルカバー５１を持つことにより、パネル５０に手が直接触ることなくパネル５０を脱着でき、パネル５０が汚れるのを防止できる。また、汚れによる照度低下も防止できる。
【００８７】
また、パネルカバー５１に第１の孔５２を設けて、第１の孔５２の内側に各種センサを内蔵したので、センサ回路等の影がパネル５０に映るのを防止できる。
また、パネルカバー５１にはロアーユニット４０からの光が直接当たらないので、温度や明るさによってセンサ等が誤動作するのを防止できる。
【００８８】
また、パネルカバー５１に第２の孔５３を設け、第２の孔５３の内部に照明器具１０の動作状態を示すための信号を発する発信手段を配設したので、ユーザは照明器具１０の動作状態を知ることができる。
【００８９】
（第２実施形態）
次に、本発明に係る第２実施形態の照明器具について、図面を用いて説明する。
なお、前述した第１実施形態にかかる照明器具１０と共通する部位には同じ符号を付して、重複する説明を省略することとする。
【００９０】
図２１および図２２に示すように、第２実施形態の照明器具１０Ｂにおける反射板６０Ｂは、中央に向かって下方へ傾斜する傾斜面６７を有し、全体下方へ尖った山型形状を呈する。反射板６０Ｂの下面は、光を反射するように、白色塗装あるいは鏡面仕上げが施されている。
反射板６０Ｂにおいて器具本体２０の一対の下縦壁２０４（図４参照）に対向する両端部は、切り欠かれて開口部６７１がそれぞれ設けられている。一対の下縦壁２０４に設けられたロアーユニット４０は、開口部６７１から反射板６０Ｂの下方に突出している。また、中央部６７２は、器具本体２０の中心に設けられている取付金具２１と干渉しないように、高くなっている。
【００９１】
従って、ロアーユニット４０から発せられた光は、パネル５０におけるロアーユニット４０から最も遠い部分Ｒ，すなわち反射板６０の中央部６７２に照射される。そして、傾斜面６７および中央部６７２において下方へ反射して、パネル５０に入射する。
なお、図６において前述したように、ロアー側ＬＥＤ光源４２から発せられる光は、レンズカバー４５を通過させて角度θ１だけ被取付面側に照射することにより、確実に反射板６０Ｂで反射させて、パネル５０に入射させて発光させることができる。
【００９２】
また、第１実施形態の反射板６０で示したように、反射板６０Ｂの中央に取付金具用開口部（６４）を設けて蓋（６１）を着脱可能に取り付けることもできる。
さらに、反射板６０Ｂに制御部６２用の開口部（６５）を設け、制御部６２の下面６２１が反射板６０Ｂの一部を構成するようにすることもできる。
【００９３】
なお、本発明の照明器具は、前述した実施形態に限定されるものでなく、適宜な変形，改良等が可能である。
すなわち、前述した実施形態においては、アッパーユニット３０およびロアーユニット４０を矩形状に配設した場合について例示した。この他、図２３に示すように、アッパーユニット３０を矩形状に配設するとともに、ロアーユニット４０Ｂを円形に配設することもできる。
この場合には、ロアーユニット４０Ｂのロアー側ＬＥＤ光源４２Ｂが下方に向けて取り付けられているので、前述した反射板６０，６０Ｂを設ける必要はない。
【００９４】
また、前述した実施形態においては、照明器具１０が、より明るく照明したい壁面Ｗ１側へ延長されて長方形状を呈する場合について説明した。この他、図２４に示すように、照明器具１０Ｃ全体を正方形とし、壁面Ｗ１側のアッパーユニット３０Ａの位置を壁面Ｗ１へずらすこともできる。
この場合には、上パネル３１Ｂのみ壁面Ｗ１側へ延長させて、ずらしたアッパーユニット３０Ａの上面を覆うようにする。
【符号の説明】
【００９５】
１０，１０Ｂ，１０Ｃ  照明器具
１１  天井面（被取付面）
１２  引っ掛けシーリング
２０  器具本体
２１  取付金具
３０，３０Ａ  アッパーユニット
３２  上枠
３２１  上面
３３  アッパー側ＬＥＤ光源
４０  ロアーユニット
４２  ロアー側ＬＥＤ光源
Ｗ１  より明るく照明したい壁面
【図１】
0005669091.tif 000002
【図２】
0005669091.tif 000003
【図３】
0005669091.tif 000004
【図４】
0005669091.tif 000005
【図５】
0005669091.tif 000006
【図６】
0005669091.tif 000007
【図７】
0005669091.tif 000008
【図８】
0005669091.tif 000009
【図９】
0005669091.tif 000010
【図１０】
0005669091.tif 000011
【図１１】
0005669091.tif 000012
【図１２】
0005669091.tif 000013
【図１３】
0005669091.tif 000014
【図１４】
0005669091.tif 000015
【図１５】
0005669091.tif 000016
【図１６】
0005669091.tif 000017
【図１７】
0005669091.tif 000018
【図１８】
0005669091.tif 000019
【図１９】
0005669091.tif 000020
【図２０】
0005669091.tif 000021
【図２１】
0005669091.tif 000022
【図２２】
0005669091.tif 000023
【図２３】
0005669091.tif 000024
【図２４】
0005669091.tif 000025
【図２５】
0005669091.tif 000026